(57)【要約】  著作権所有者がファイル（例えば、オーディオトラック、ビデオなど）について有する著作権を侵害することのない、ファイルの所有者によるプレイバック／アクセス、または販売／交換のための、ファイルのオンライン記憶を容易にするための方法および装置が開示される。例えば、オーディオファイルが、ユーザ装置に送信され、そして、バッファリングなしにユーザ装置上でただちに再生される際に、ファイルの追加のバージョンを記憶しない、プレイバックサービスを提供することによって、本発明は、著作権法を侵害することを、ファイルのコピーを作成しないことによって回避する。多くのその他の態様が開示される。
2009537048.tif 000002
【特許請求の範囲】
【請求項１】
オーディオファイルの第１のコピーを記憶することであって、前記オーディオファイルの前記第１のコピーは、前記オーディオファイルの前記第１のコピーを保管しない第１のパーティによって所有されている、ことと、
前記オーディオファイルのプレイバックを求める要求を受信することと、
前記要求が前記第１のパーティからであることを検証することと、
前記オーディオファイルの前記第１のコピーを表す信号を、前記第１のパーティに関連付けられた１つ以上のプレイバック装置に送信することであって、前記プレイバック装置は、前記信号を受信するように、そして、前記オーディオファイルのいかなる部分も、前記オーディオファイルの前記部分を受信したらすぐに前記部分を再生するために前記プレイバック装置が必要とする可能性がある最小時間よりも長く記憶せずに、前記オーディオファイルを再生するように、動作可能である、こととを含む、方法。
【請求項２】
第１のパーティに関連付けられた、ファイルの第１のコピーを記憶することであって、前記第１のパーティは、前記ファイルの前記第１のコピーの所有権を有し、前記ファイルは著作権保護が可能な表現である、ことと、
前記ファイルの第２のコピーを作成することなしに、前記第１のパーティに関連付けられた装置上で、前記ファイルの前記第１のコピーのプレイバックを提供することとを含む、方法。
【請求項３】
プレイバックを提供することは、前記ファイルの著作権所有者の著作権を侵害することなしに、要求に応えて前記ファイルのプレイバックを提供することを含む、請求項２に記載の方法。
【請求項４】
プレイバックを提供することは、前記第１のパーティに関連付けられた前記装置に前記ファイルをストリーミングすることを含み、
ストリーミングすることは、前記装置内での最小のバッファリングを伴う前記装置上での即座のプレイバックのために好適な速度で、前記ファイルを送信することを含み、
前記装置は、前記ファイルのいかなる部分も、実質的な時間にわたって記憶することはない、請求項２に記載の方法。
【請求項５】
プレイバックを提供することは、任意の所与の時間において、前記ファイルの非実質的な部分のみが記憶されるプロトコルを使用して前記ファイルを送信することを含む、請求項２に記載の方法。
【請求項６】
前記ファイルの非実質的な部分は、長さを有する、前記ファイルの部分を含み、前記長さは、前記部分が、直接的な人間の知覚によって、前記ファイルの一意的な部分であるとして認識可能ではないような長さである、請求項５に記載の方法。
【請求項７】
プレイバックを提供することは、前記ファイルの少なくとも一部を、ボイスオーバーインターネットプロトコル（ＶＯＩＰ）を使用して送信することを含む、請求項２に記載の方法。
【請求項８】
プレイバックを提供することは、前記ファイルを前記装置に送信することを含み、前記装置は、前記ファイルを記憶することなしに、前記ファイルを再生するように構成された、請求項２に記載の方法。
【請求項９】
プレイバックを提供することは、前記ファイルを前記装置に送信することを含み、前記装置は、任意の所与の時間において、前記ファイルの実質的な部分をバッファリングすることなしに、前記第１のパーティのために前記ファイルを再生するように構成され、
前記ファイルを再生することは、前記第１のパーティからの要求に応じて行われる、請求項２に記載の方法。
【請求項１０】
プレイバックを提供することは、前記ファイルの暗号化されたバージョンを前記装置に送信することを含み、前記装置は、任意の所与の時間において、前記ファイルの実質的な部分をバッファリングすることなしに、前記第１のパーティのために前記ファイルを復号し、そして再生するように構成された、請求項２に記載の方法。
【請求項１１】
プレイバックを提供することは、前記ファイルを、前記第１のパーティのみに関連付けられた１つ以上の装置のみに送信することを含む、請求項２に記載の方法。
【請求項１２】
プレイバックを提供することは、前記ファイルを装置に送信することを含み、前記装置は、受信したファイルの電子バージョンへのアクセスを防止するように構成された、安全な周辺を含む、請求項２に記載の方法。
【請求項１３】
前記ファイルの前記記憶されたコピーを維持することの料金を課金することをさらに含む、請求項２に記載の方法。
【請求項１４】
前記料金は、
前記ファイルの前記コピーを寄贈することと、
前記ファイルの前記コピーを売却することを確約することと、
プレイバックサービスを購入することを確約することと、
プレイリスト管理サービスを購入することを確約することと、
バックアップサービスを購入することを確約することと、のうちの少なくとも１つを含む、請求項１３に記載の方法。
【請求項１５】
サービスの料金を課金することをさらに含み、前記サービスは、ファイルの記憶されたコピーのプレイバックを提供することを含む、請求項２に記載の方法。
【請求項１６】
前記料金は、
前記ファイルの前記コピーを寄贈することと、
前記ファイルの前記コピーを売却することを確約することと、
記憶サービスを購入することを確約することと、
プレイリスト管理サービスを購入することを確約することと、
バックアップサービスを購入することを確約することと、のうちの少なくとも１つを含む、請求項１５に記載の方法。
【請求項１７】
前記ファイルの前記コピーのプレイバックに関する情報を記憶することをさらに含む、請求項２に記載の方法。
【請求項１８】
前記記憶された情報を集計することと、マーケティングサーバに前記集計を送信することとをさらに含む、請求項１７に記載の方法。
【請求項１９】
記憶された情報の複数の集計を集約することであって、前記複数の集計は、それぞれが異なるパーティからのものであり、各パーティは個別に、ファイルの記憶されたコピーをプレイバックしたことがある、ことと、
前記集約された集計に基づいて、ファイルの価値を決定することとをさらに含む、請求項１８に記載の方法。
【請求項２０】
記憶された情報の複数の集計を集約することであって、前記複数の集計は、それぞれが異なるパーティからのものであり、各パーティは個別に、オーディオファイルの記憶されたコピーをプレイバックしたことがある、ことと、
記憶された情報の前記集約された集計に基づいて、データを売却することとをさらに含む、請求項１８に記載の方法。
【請求項２１】
複数のファイルのそれぞれの、コピーを記憶することであって、各コピーは、前記ファイルの各記憶されたコピーの所有権を有する第１のパーティに関連付けられている、ことと、
前記ファイルの著作権所有者の著作権を侵害することなしに、前記第１のパーティに、前記ファイルの任意のコピーのリモートプレイバックを提供することとを含む、方法。
【請求項２２】
前記ファイルの各記憶されたコピーに関する情報を、前記第１のパーティに、プレイリストの形態で提供することをさらに含む、請求項２１に記載の方法。
【請求項２３】
前記プレイリストを受信するように、そして、リモートプレイバックのために前記第１のパーティが前記複数のファイルの中からファイルを選択することを可能にするように、構成された、装置を提供することをさらに含む、請求項２２に記載の方法。
【請求項２４】
前記プレイリストを受信するように、そして、前記第１のパーティが前記プレイリストを第２のパーティと共有することを可能にするように、構成された、装置を提供することをさらに含む、請求項２２に記載の方法。
【請求項２５】
前記プレイリストを受信するように、そして、前記第１のパーティが前記プレイリストを管理することを可能にするように、構成された、装置を提供することをさらに含み、前記プレイリストの管理は、
プレイバックのために前記プレイリストを順序付けることと、
前記プレイリストを細分することと、
前記プレイリストまたは細分されたプレイリストに注釈を付けることと、
前記プレイリスト内のファイル情報に注釈を付けることと、
前記プレイリストを送信することとのうちの少なくとも１つを含む、請求項２２に記載の方法。
【請求項２６】
１つのファイルの複数のコピーを記憶することであって、各コピーは異なるパーティに関連付けられ、各パーティは、前記ファイルの前記記憶されたコピーのうちの少なくとも１つの所有権を有する、ことと、
前記ファイルの著作権所有者の著作権を侵害することなしに、前記パーティに、前記ファイルの前記コピーの並行リモートプレイバックを提供することとを含む、方法。
【請求項２７】
前記コピーのリモートプレイバックを提供することは、記憶されたコピーの数に基づいた、リモートプレイバックを提供することの並行インスタンスの最大数に制限され、
パーティへのプレイバックは、リモートプレイバックを提供することの前記並行インスタンスが前記最大数未満になるまで遅延させられる、請求項２６に記載の方法。
【請求項２８】
１つのファイルの複数のコピーを記憶することであって、前記コピーは１つの組織と関連付けられ、前記組織は前記コピーの所有権を有する、ことと、
複数のパーティを、前記組織のメンバーとして認めることと、
前記ファイルの著作権所有者の著作権を侵害することなしに、前記メンバーに、前記ファイルの前記コピーの並行リモートプレイバックを提供することとを含む、方法。
【請求項２９】
前記コピーのリモートプレイバックを提供することは、記憶されたコピーの数に基づいた、リモートプレイバックを提供することの並行インスタンスの最大数に制限される、請求項２８に記載の方法。
【請求項３０】
メンバーの数は、コピーの数を超過し、
並行リモートプレイバックを提供することは、任意の所与の瞬間において、再生されているコピーの数が、コピーの前記数以下であるように、前記メンバーが前記コピーをプレイバックすることを可能にすることを含む、請求項２８に記載の方法。
【請求項３１】
メンバーの数は、コピーの数を超過し、
並行リモートプレイバックを提供することは、任意の所与の瞬間において、再生されているコピーの数が、コピーの前記数より大きくてもよいように、前記メンバーが前記コピーをプレイバックすることを可能にすることを含み、
同時に再生されている同じ部分の数が、コピーの前記数以下であるように、前記コピーのさまざまな部分が再生されている、請求項２８に記載の方法。
【請求項３２】
第１のパーティに関連付けられた、ファイルのコピーを記憶することであって、前記第１のパーティは、前記ファイルの前記コピーの所有権を有し、前記所有権は制約を受けている、ことと、
前記ファイルの著作権所有者の著作権を侵害することなしに、そして、前記制約を侵害することなしに、前記第１のパーティに、前記ファイルの前記コピーのリモートプレイバックを提供することとを含む、方法。
【請求項３３】
前記制約は、前記ファイルの前記コピーがプレイバックされてもよい回数の制限を規定する、請求項３２に記載の方法。
【請求項３４】
前記制約は、ファイルの前記コピーがプレイバックされてもよい期間を規定する、請求項３２に記載の方法。
【請求項３５】
前記制約は、ファイルの前記コピーがプレイバックされてもよい装置を規定する、請求項３２に記載の方法。
【請求項３６】
前記制約は、ファイルの前記コピーをプレイバックすることが許可されるために、前記第１のパーティによって満たされなければならない条件を規定する、請求項３２に記載の方法。
【請求項３７】
ファイルのプレイバックのための装置であって、前記装置は、
第１のパーティに関連付けられた、ファイルの第１のコピーの、プレイバックを要求するように構成された、インタフェースモジュールであって、前記第１のパーティは、前記ファイルの前記第１のコピーの所有権を有し、前記ファイルは著作権保護が可能な表現である、インタフェースモジュールと、
前記インタフェースモジュールに結合されたファイルプレイバックモジュールであって、前記ファイルの前記第１のコピーを、受信するように、そして、記憶することなしに並行プレイバックするように、構成された、ファイルプレイバックモジュールとを備える、装置。
【請求項３８】
前記インタフェースモジュールは、前記インタフェースモジュールを介して前記装置内に入力されたユーザ要求に応じて、サーバからの前記ファイルの前記第１のコピーのプレイバックを要求するように構成され、そして、前記プレイバックモジュールは、前記ファイルの著作権所有者の著作権を侵害することなしに、前記ファイルをプレイバックするようにさらに構成された、請求項３７に記載の装置。
【請求項３９】
前記ファイルプレイバックモジュールは、前記装置内での最小のバッファリングを伴う前記装置上での即座のプレイバックのために好適な速度で、前記サーバからストリーミングされる、前記ファイルの前記第１のコピーを受信するようにさらに構成され、前記装置は、前記ファイルの前記第１のコピーのいかなる部分も、実質的な時間にわたって記憶することはない、請求項３７に記載の装置。
【請求項４０】
前記ファイルプレイバックモジュールは、任意の所与の時間において、前記ファイルの非実質的な部分のみが記憶されるプロトコルを使用したプレイバックを提供するようにさらに構成される、請求項３９に記載の装置。
【請求項４１】
前記ファイルの非実質的な部分は、長さを有する、前記ファイルの部分を含み、前記長さは、前記部分が、直接的な人間の知覚によって、前記ファイルの一意的な部分であるとして認識可能ではないような長さである、請求項４０に記載の装置。
【請求項４２】
前記ファイルプレイバックモジュールは、ボイスオーバーインターネットプロトコル（ＶＯＩＰ）を使用したプレイバックを提供するようにさらに構成された、請求項３７に記載の装置。
【請求項４３】
前記ファイルプレイバックモジュールは、サーバから前記ファイルを受信するように、そして、前記ファイルのコピーを作成することなしに前記ファイルを再生するように、さらに構成された、請求項３７に記載の装置。
【請求項４４】
前記ファイルプレイバックモジュールは、前記ファイルの暗号化されたバージョンを受信するように、そして、任意の所与の時間において、前記ファイルの実質的な部分をバッファリングすることなしに、前記第１のパーティのために前記ファイルを復号し、そして再生するように、さらに構成された、請求項３７に記載の装置。
【請求項４５】
前記ファイルプレイバックモジュールは、前記装置を前記第１のパーティのみに関連付ける一意の識別子を含む、請求項３７に記載の装置。
【請求項４６】
前記装置は、前記受信したファイルの電子バージョンへのアクセスを防止するように構成された、安全な周辺を含む、請求項３７に記載の装置。
【請求項４７】
前記インタフェースモジュールは、前記ファイルのプレイバックの料金をユーザが支払うことを可能にするようにさらに構成された、請求項３７に記載の装置。
【請求項４８】
前記インタフェースモジュールは、ファイルのプレイバックリストをユーザが管理することを可能にするようにさらに構成された、請求項３７に記載の装置。
【請求項４９】
前記インタフェースモジュールは、ファイルをユーザが売却することを可能にするようにさらに構成された、請求項３７に記載の装置。
【請求項５０】
前記装置は、前記ファイルの前記第１のコピーのプレイバックに関する情報を記憶するように構成された、請求項３７に記載の装置。
【請求項５１】
前記装置は、前記記憶された情報を集計するように、そして、マーケティングサーバに前記集計を送信するように、さらに構成された、請求項５０に記載の装置。
【発明の詳細な説明】
【技術分野】
【０００１】
本出願は、２００６年５月１１日出願の米国仮特許出願第６０／７４７，０９２号の優先権を主張するものであり、この米国仮特許出願は、その全体が参照により本明細書に援用されるものとする。
【背景技術】
【０００２】
既存のファイル交換システムを含む、既存のファイル使用および管理システムは、通常、ファイルのコピーを作成する。そのような実施は、著作権法を侵害する場合がある。必要とされているのは、ファイルのコピーを作成することを回避する、ファイルの使用と管理とのシステムおよび方法である。
【発明の概要】
【課題を解決するための手段】
【０００３】
本発明の特定の態様では、オーディオファイルの第１のコピーを記憶することであって、オーディオファイルの第１のコピーは、オーディオファイルの第１のコピーを保管しない第１のパーティによって所有されている、ことと、オーディオファイルのプレイバックを求める要求を受信することと、要求が第１のパーティからであることを検証することと、オーディオファイルの第１のコピーを表す信号を、第１のパーティに関連付けられた１つ以上のプレイバック装置に送信することであって、プレイバック装置は、信号を受信するように、そして、オーディオファイルのいかなる部分も、オーディオファイルのその部分を受信したらすぐにその部分を再生するためにプレイバック装置が必要とする可能性がある最小時間よりも長く記憶せずに、オーディオファイルを再生するように、動作可能である、こととを含む、方法が提供される。
【０００４】
本発明のその他の態様では、第１のパーティに関連付けられた、ファイルの第１のコピーを記憶することであって、第１のパーティは、ファイルの第１のコピーの所有権を有し、ファイルは著作権保護が可能な表現である、ことと、ファイルの第２のコピーを作成することなしに、第１のパーティに関連付けられた装置上で、ファイルの第１のコピーのプレイバックを提供することとを含む、方法が提供される。
【０００５】
本発明のさらに他の態様では、複数のファイルのそれぞれの、コピーを記憶することであって、各コピーは、ファイルの各記憶されたコピーの所有権を有する第１のパーティに関連付けられている、ことと、ファイルの著作権所有者の著作権を侵害することなしに、第１のパーティに、ファイルの任意のコピーのリモートプレイバックを提供することとを含む、方法が提供される。
【０００６】
本発明のさらに他の態様では、１つのファイルの複数のコピーを記憶することであって、各コピーは異なるパーティに関連付けられ、各パーティは、ファイルの記憶されたコピーのうちの少なくとも１つの所有権を有する、ことと、ファイルの著作権所有者の著作権を侵害することなしに、それらのパーティに、ファイルのコピーの並行リモートプレイバックを提供することとを含む、方法が提供される。
【０００７】
本発明のさらなる態様では、１つのファイルの複数のコピーを記憶することであって、それらのコピーは１つの組織と関連付けられ、組織はそれらのコピーの所有権を有する、ことと、複数のパーティを組織のメンバーとして認めることと、ファイルの著作権所有者の著作権を侵害することなしに、それらのメンバーに、ファイルのコピーの並行リモートプレイバックを提供することとを含む、方法が提供される。
【０００８】
本発明のさらなる態様では、第１のパーティに関連付けられた、ファイルのコピーを記憶することであって、第１のパーティは、ファイルのコピーの所有権を有し、所有権は制約を受けている、ことと、ファイルの著作権所有者の著作権を侵害することなしに、そして、制約を侵害することなしに、第１のパーティに、ファイルのコピーのリモートプレイバックを提供することとを含む、方法が提供される。
【０００９】
本発明のさらなる態様では、第１のパーティに関連付けられた、ファイルの第１のコピーの、プレイバックを要求するように構成された、インタフェースモジュールであって、第１のパーティは、ファイルの第１のコピーの所有権を有し、ファイルは著作権保護が可能な表現である、インタフェースモジュールと、インタフェースモジュールに結合されたファイルプレイバックモジュールであって、ファイルの第１のコピーを、受信するように、そして、記憶することなしに、並行プレイバックするように、構成された、ファイルプレイバックモジュールとを含む、ファイルのプレイバックのための装置が提供される。
【００１０】
本発明のその他の特徴および態様は、以下の詳細な説明と、添付の特許請求の範囲と、添付の図面とから、より十分に明白となるであろう。
【図面の簡単な説明】
【００１１】
【図１】本発明のいくつかの実施形態による、システムの例示的な実施形態を示すブロック図である。
【図２】本発明のいくつかの実施形態による、第１の例示的方法の例示的な実施形態を示すフローチャートである。
【図３】本発明のいくつかの実施形態による、第２の例示的方法の例示的な実施形態を示すフローチャートである。
【発明を実施するための形態】
【００１２】
本発明は、著作権所有者がファイル（例えば、オーディオトラック、ビデオなど）について有する著作権を侵害することのない、ファイルの所有者によるプレイバック／アクセス、または販売／交換のための、ファイルのオンライン記憶を容易にするために使用されてもよい。例えば、オーディオファイルがユーザ装置に送信され、そして、バッファリングなしにユーザ装置上でただちに再生される際に、オーディオファイルの追加のバージョンを記憶しない、プレイバックサービスを提供することによって、本発明は、著作権法を侵害することを、ファイルのコピーを作成しないことによって回避する。
【００１３】
図１を参照すると、本発明の実施形態は、交換サービス（ｅｘｃｈａｎｇｅ  ｓｅｒｖｉｃｅ）１０２、保管サービス（ｃｕｓｔｏｄｉａｌ  ｓｅｒｖｉｃｅ）１０４、およびプレイバックサービス（ｐｌａｙｂａｃｋ  ｓｅｒｖｉｃｅ）１０６を、システム１００内での、それぞれ、ファイルの交換、記憶、および／または、プレイバック／アクセスのために提供する、システム１００を含んでもよい。上記に示したように、本発明のシステム１００は、例えば、音楽トラック、アプリケーションサービスプロバイダ（ＡＳＰ）のデータ、オブジェクト、および／またはアプリケーションファイル、ソフトウェアアプリケーション、データまたはグラフィックスの集成（例えば、ＬＥＸＩＳ（登録商標）データベース情報、さまざまなディレクトリ、地図など）、映画、テレビ番組、ビデオゲーム、アニメーション、コンピュータプレゼンテーション、ウェブサイト、ニュースフィードなどを含む、任意の数のさまざまなファイルタイプとともに動作するように構成されてもよい。本明細書で使用する場合、そして特に記載しない限り、プレイバック（ｐｌａｙｂａｃｋ）という用語は、ファイルまたはファイルの一部を再生すること（ｐｌａｙｉｎｇ）、あるいは、ファイルまたはファイルの一部にアクセスすること（ａｃｃｅｓｓｉｎｇ）を意味してもよい。
【００１４】
本発明による交換サービス１０２または機能は、１つ以上のソフトウェアアプリケーションおよび／またはオペレーティングシステム（ＯＳ）を実行している、コンピュータサーバまたはホストとして実施されてもよい。いくつかの実施形態では、オペレータがサーバの動作の側面を制御してもよく、他の実施形態では、サーバは完全に自動化されていてもよい。交換サービス１０２は、例えばセキュリティ保護されたネットワークを介して、直接的に、あるいは、例えば中間のサーバまたはインターネット１１４を介して、間接的に、その他の装置、サーバ、またはサービス（例えば、保管サービス１０４、プレイバックサービス１０６、ユーザ装置１０８、１１０、１１２、ファイル配布サーバなど）に結合されて、それらと通信してもよい。ユーザは、例えば、セルラー電話機、ネットワークコンピュータ、無線携帯情報端末（ＰＤＡ）、ハンドヘルド装置、衛星ラジオ受信機、ネットワークにアクセスするように修正されていてもよいメディアプレーヤー（例えば、アップル（Ａｐｐｌｅ（登録商標）社）のアイポッド（ｉＰｏｄ（登録商標））、サンディスク（ＳａｎＤｉｓｋ（登録商標））のサンサ（Ｓａｎｓａ（登録商標））、東芝（Ｔｏｓｈｉｂａ（登録商標））のギガビート（Ｇｉｇａｂｅａｔ（登録商標））など）、ワイファイ（ＷｉＦｉ）装置（例えば、ラップトップコンピュータ、ノキア（Ｎｏｋｉａ（登録商標））７７０インターネットタブレット（Ｉｎｔｅｒｎｅｔ  Ｔａｂｌｅｔ（登録商標）））などを含む）をはじめとする、任意の数のさまざまな異なるユーザ装置１０８、１１０、１１２を介して、交換サービス１０２にアクセスしてもよく、または、交換サービス１０２から伝送されたものを受信してもよい。いくつかの実施形態では、交換サービス１０２は、ウェブページ（例えば、ＨＴＭＬまたはＸＭＬベースのワールドワイドウェブ（ＷＷＷ）ページ）として実施されたインタフェース１１６（例えば、ユーザおよび／またはオペレータインタフェース）を含んでもよく、一方、他の実施形態では、ユーザ装置は、インタフェース１１８、１２０、１２２を含んでもよい。
【００１５】
交換サービス１０２は、金融取引、バーター取引、またはその他の取引を成立させるための設備を含んでもよい。例えば、交換サービス１０２は、銀行、クレジットカード会社、その他のセキュリティ保護された金融機関、および／または、連邦準備制度（Ｆｅｄｅｒａｌ  Ｒｅｓｅｒｖｅ）によって運営される自動決済機関（ａｕｔｏｍａｔｅｄ  ｃｌｅａｒｉｎｇ  ｈｏｕｓｅ）（ＡＣＨ）ネットワークへの接続を許可するように構成された、セキュリティ特徴およびプロトコルを含んでもよい。交換サービス１０２は、さらに、任意のさまざまなタイプのファイルを販売する他のパーティから、ファイルを購入して移転するように構成されてもよい。交換サービス１０２は、例えば、以下で詳述する、保管サービス１０４を使用して、そのようなファイルを記憶してもよい。
【００１６】
交換サービス１０２は、会計情報とファイル検証機能とを提供する、監査機能を含んでもよい。例えば、交換サービス１０２は、任意の所与の瞬間において、交換サービス１０２のドメイン内のすべてのファイルが、「合法の」、非海賊版の、著作権に準拠した、ファイルのコピーとして検証されることが可能なように、ファイルのコピーの各インスタンスを（例えば、シリアル番号を割り当てるか、または関連付けることによって、および／または、ファイルの内容に組み込まれた電子「透かし」を使用することによって）一意に識別するための手段を含んでもよい。さらに、交換サービス１０２は、所有権の変遷（ｃｈａｉｎ  ｏｆ  ｔｉｔｌｅ）が明らかにされてもよいように、ファイルの特定のインスタンスを誰が購入および売却したかに関する、履歴情報を記憶してもよい。交換サービス１０２は、マーケティング情報を明らかにするために、所有権の変遷情報を、例えば市場での販売価格および時間などの、その他の取引情報とともに集計および／または集約するための、プログラムを含んでもよい。いくつかの実施形態では、交換サービス１０２は、ファイルの価格を設定するために、そのような情報を使用してもよい。
【００１７】
動作時、交換サービス１０２は、以前に所有されていた、および新しい、ファイルのコピーを、再販売または取得するための、便利な手段として機能してもよい。言い換えると、交換サービス１０２は、「合法の」、非海賊版の、著作権に準拠した、ファイルのコピーを、購入および売却するための、市場として機能してもよい。交換サービス１０２は、多くの異なるパーティ間の取引、例えば、２つ以上のユーザ（例えば、交換サービスのメンバー、顧客、加入者、匿名パーティなど）の間の取引、小売業者（例えば、アイチューンズ（ｉＴｕｎｅｓ（登録商標））、ナップスター（Ｎａｐｓｔｅｒ（登録商標））、ウォルマート（Ｗａｌｍａｒｔ（登録商標））など）とユーザとの間の取引、小売業者と保管サービス１０４（以下に記載）との間の取引、ユーザと保管サービス１０４との間の取引、小売業者と、ユーザの代理としての保管サービス１０４との間の取引（取引へのユーザの参加あり、またはなし）などを、容易にしてもよい。小売業者と、ユーザの代理としての保管サービス１０４との間の取引では、ユーザの代理として、小売業者からファイルが購入されたことを、ユーザは認識していなくてもよい。いくつかの実施形態では、保管サービス１０４は、ユーザの金融口座情報を記憶し、そして、そのユーザのために購入を行うための認可を単に受けてもよい。
【００１８】
例えば、通常、パーム（Ｐａｌｍ（登録商標））トレオ（Ｔｒｅｏ（登録商標））スマートフォン上で音楽を聞くユーザは、交換サービス１０２によって維持されるインタフェースウェブサイト１１６を閲覧してもよい。ウェブサイト１１６は、購入できる多数の音楽トラックを、それぞれの現行価格とともにリストしてもよい。特定のトラックの各リスト項目は、例えば保管サービス１０４を使用して記憶された、音楽トラックのコピーの特定のインスタンスに対応してもよい。ユーザは、所望のトラックを購入のために選択してもよく、その時点で、交換サービス１０２は、ユーザの銀行またはクレジットカード勘定を借記し、そして、購入されたトラックの所有権の移転を、保管サービス１０４内で成立させてもよい。実際の移転は、所有権、アクセスおよび／またはプレイバックの権利（例えば、購入された音楽トラックであるファイルに関連付けられた権利）を表すデータビットを、購入者によるトラックの新しい所有権と、販売者からの権利の除去とを反映するように、単に変更することを含んでもよい。このようにして、ファイルは、ファイルのいかなる追加のコピーも作成することなしに、そしてそれと同時に、購入および売却されるファイルの著作権所有者の著作権が侵害されないことを確実にしながら、さまざまなパーティによって購入および売却されてもよい。ファイルが保管サービス１０４内にまだ記憶されていない状況では、以下で詳しく説明するように、ファイルの合法のコピーを含む媒体（例えば、ＣＤまたはＤＶＤ）が、保管サービスの、ファイルのリポジトリ１２４に追加されるように、保管サービス１０４に物理的に送られてもよい。そのような実施形態では、交換サービス１０２は、ファイルコピーの所与のインスタンスの１つのコピーのみが存在することを許可されるということを、検証してもよく、および／または、検証を提供する働きをしてもよい。言い換えると、交換サービス１０２は、ファイルのコピーを含む媒体が、保管サービスの、ファイルのリポジトリ１２４内にファイルが入れられた直後に、または入れられている間に、破棄されることを検証してもよい。いくつかの実施形態では、保管サービスの、ファイルのリポジトリ１２４は、媒体を含んでもよい。同様に、プレイバックの間、ファイルコピーの所与のインスタンスの１つのコピーのみが存在することを許可されるということを、検証するために、および／または、検証を提供する働きをするために、交換サービス１０２は、プレイバックサービス１０６（以下に記載）と統合されてもよい。
【００１９】
上記に示したように、交換サービス１０２は、ファイルに関連する取引情報を記録し、この情報の履歴を記憶してもよい。この情報の集約が、価格を設定するため、ファイルの価値を決定するため、マーケティングまたは広告の目的のため、在庫管理の目的のため、（例えば、関連する製品またはサービスの追加提供などの）アップセル（ｕｐｓｅｌｌ）の機会を作るため、または提供するため、メンバーシップのレベル／状態／資格を判定するため、および監査を行うために使用されてもよい。この情報は、さらに、交換サービス１０２が、または保管サービス１０４などの統合サービスが、ユーザへの販売のためにファイルを購入／取得することを可能にするために使用されてもよい。情報は、特定のファイルに対する需要を判定するために、および／または、ファイルを、例えば再販売用に取得するために、交換サービス１０２が支払うべき適切な価格を判定するために、使用されてもよい。いくつかの実施形態では、交換サービス１０２は、ファイルの将来の需要を予測するために、および、買い戻しの保証または規定をファイルの購入者に提供するために、集約された情報を使用してもよい。そのような規定は、購入者が、将来のある日に、例えば、購入者がファイルにアクセスするか、またはファイルを再生した後で、購入者が第三者にファイルを販売することができない場合、および／または、購入者が望むときはいつでも、所定の価格で交換サービス１０２にファイルを売り戻すことを可能にする。買い戻し価格は、最初の販売時に、または、後日に、決定されてもよい。買い戻し価格は、取引情報またはその他の要因の関数であってもよい。買い戻し規定は、任意選択であってもよく、そして、規定の選択は、最初の購入価格に、プラスに、またはマイナスに影響してもよい。代替の実施形態では、買い戻し規定は、必須であってもよい。いくつかの実施形態では、交換サービス１０２は、複数のユーザの代理として、ファイルの複数のコピーを一括購入割引率で購入するために、特定のファイルに対する需要を集約することが可能であってもよい。したがって、交換サービス１０２は、著作権を侵害しない取引を容易にする。交換サービス１０２は、さらに、ファイルコピーの非存在または破棄の検証を提供してもよく、すべての取引を記録しながら、合法の移転を成立させるために、保管サービス１０４と統合されてもよく、そして、移転されたファイルの使用を、著作権を侵害することなく可能にするために、プレイバックサービス１０６と統合されてもよい。
【００２０】
交換サービス１０２は、多くの異なるタイプの取引をサポートするように構成されてもよい。固定価格の取引に加えて、サービス１０２は、任意の数のさまざまな要因に基づく動的価格設定を提供してもよい。例えば、価格は、交換サービス１０２によって決定されるか、または（例えば、株式市場に類似した）アスク／ビッド情報に基づいて決定される、市場価格に基づいて、継続的に調節されてもよい。いくつかの実施形態では、１つ以上のパーティから１つ以上のパーティへの、ファイルの大規模なコレクション（または、少なくとも２つ以上のファイル）の購入または販売を含む取引がサポートされてもよい。価格設定は、さらに、動的であってもよく、そして、例えば、コレクションのプレミアムを競うための、および一括購入割引のための、上または下への調節を含んでもよい。交換サービス１０２は、さらに、オークション販売の形式での取引、貸し、借り、複合／マルチパーティ取引（例えば、再販売保証付きの購入）、買い戻し約定、条件付き販売などをサポートしてもよい。例えば、ファイルの販売は、無条件または条件付きのいずれかであってもよい（例えば、ファイルを販売しているユーザは、後でファイルを買い戻すための選択肢を保持してもよい）。例えば、販売者から音楽ファイルを購入するユーザは、販売者が音楽を、例えば、将来の市場価格で、あるいは、販売価格の所定の部分で（例えば、購入者が支払った価格がいくらであっても、販売者は購入者にその９０パーセント（または１１０パーセント）を戻す）、あるいは、例えば１０セントなどの、所定の価格で、買い戻してもよい、ということに同意しなければならない取引がサポートされてもよい。そのような買い戻し権は、特定の時（例えば、３０日後、他の人が少なくとも３回再生した後、１時間以内）に、または販売者の判断による任意の時に、制約されてもよい。いくつかの実施形態では、買い戻し権の規定は、交換サービス１０２、保管サービス１０４、および／またはプレイバックサービス１０６と対話するための、ユーザ装置１０８のインタフェース１１８上に示されてもよく、および／または、交換サービス１０２、保管サービス１０４、および／またはプレイバックサービス１０６の、それぞれ、インタフェース１１６、１２６、１２８上に示されてもよい（例えば、買い戻し規定を有するファイルを含むリストは、そのような規定を有さないファイルとは異なる特定の色を有する）。
【００２１】
本発明の交換サービス１０２は、さらに、さまざまな異なる収入モデルをサポートするように構成されてもよい。例えば、交換サービス１０２は、さまざまな異なる種類の取引タイプのいずれかについて、購入者および／または販売者のために実行される各取引について、ユーザに料金を課金してもよい。料金は固定されていてもよく、または、例えば、取引のタイプ、取引の量／価格、ユーザのメンバーシップレベル、以前の取引の頻度、将来の取引を行うことの確約などの、さまざまな要因に基づいて変化してもよい。交換サービス１０２は、それに加えて、または別法として、加入および／またはメンバーシップ料金に基づいて収入を得てもよく、取引の間に、および／または後で、購入者および／または販売者に提示されるアップセルの提供に基づいて収入を得てもよく、第三者に広告の機会を販売することによって収入を得てもよく、例えば、関連した、または関連のないサービス、製品、および／または情報の提供や、取引情報およびマーケティングデータの販売や、ファイルの人気情報の販売などを目的とした、ユーザへのアクセス、および／またはユーザ情報を、第三者に提供することによって収入を得てもよい。
【００２２】
本発明の交換サービス１０２は、さらに、さまざまな「販売／購入権」をサポートするように構成されてもよい。例えば、特定のファイルの購入権は、第１のユーザがファイルに値を付けることに基づいて決定されてもよい。これは、時間ベースの購入権（ｔｉｍｅ  ｂａｓｅｄ  ｒｉｇｈｔ  ｔｏ  ｂｕｙ）と呼ばれてもよい。同様に、サービス１０２は、販売のためにファイルを最初に提供した者が、最初に得られた購入者に販売できるようになる、時間ベースの販売権（ｔｉｍｅ  ｂａｓｅｄ  ｒｉｇｈｔ  ｔｏ  ｓｅｌｌ）をサポートしてもよい。あるいは、または二次的に、販売または購入権は、配送に基づいてもよい（例えば、システムにファイルを配送した最初の販売者、または支払いを行った最初の購入者）。本発明の交換サービス１０２は、さらに、基礎をなす商品としてのファイルに基づいた、さまざまなタイプの金融商品（例えば、先物契約、オプション契約、買い戻し約定、その他の、取引所で交換される、および取引所で交換されないデリバティブ）の販売をサポートするように構成されてもよい。いくつかの実施形態では、交換サービス１０２は、例えば、交換サービス１０２を介して販売される新規公募（ｉｎｉｔｉａｌ  ｐｕｂｌｉｃ  ｏｆｆｅｒｉｎｇ）の形態で、ファイルの著作権におけるエクイティインタレストのシェア（ｓｈａｒｅｓ  ｏｆ  ｅｑｕｉｔｙ  ｉｎｔｅｒｅｓｔ）を売却することによって、著作権所有者が資金を調達することを可能にする手段を提供してもよい。
【００２３】
本発明による保管サービス１０４または機能も、１つ以上のソフトウェアアプリケーションおよび／またはオペレーティングシステム（ＯＳ）を実行している、コンピュータサーバまたはホストとして実施されてもよい。いくつかの実施形態では、オペレータがサーバの動作の側面を制御してもよく、他の実施形態では、サーバは完全に自動化されていてもよい。保管サービス１０４は、例えば、セキュリティ保護されたネットワークを介して、直接的に、あるいは、例えば、中間のサーバまたはインターネット１１４を介して、間接的に、その他の装置、サーバ、またはサービス（例えば、交換サービス１０２、プレイバックサービス１０６、ユーザ装置１０８、１１０、１１２、ファイル配布サーバなど）に結合されて、それらと通信してもよい。保管サービス１０４は、例えば、ネットワーク化されたＲＡＩＤシステム、および／または、ロボティック媒体投入装置および読取装置などの、電子データ記憶アレイを含む、リポジトリ１２４を含んでもよい。いくつかの実施形態では、保管サービス１０４は、例えば、サービス１０４が、リポジトリ１２４内に含まれる各音楽アルバムについて少なくとも１枚のＣＤを保管するように、ファイルとともに媒体（例えば、ＣＤ、ＤＶＤなど）を格納してもよい。いくつかの実施形態では、保管サービス１０４は、ユーザによって直接アクセスまたは使用されず、そして、例えば交換サービス１０２およびプレイバックサービス１０６のような、フロントエンドサービスのみと相互作用する、「バックエンド」サービスとして実施されてもよい。いくつかの実施形態では、しかし、ユーザは、例えば、セルラー電話機、ネットワークコンピュータ、無線携帯情報端末（ＰＤＡ）、ハンドヘルド装置、衛星ラジオ受信機、ネットワークにアクセスするように修正されていてもよいメディアプレーヤー（例えば、アップル（Ａｐｐｌｅ（登録商標）社）のアイポッド（ｉＰｏｄ（登録商標））、サンディスク（ＳａｎＤｉｓｋ（登録商標））のサンサ（Ｓａｎｓａ（登録商標））、東芝（Ｔｏｓｈｉｂａ（登録商標））のギガビート（Ｇｉｇａｂｅａｔ（登録商標））など）、ワイファイ（ＷｉＦｉ）装置（例えば、ラップトップコンピュータ、ノキア（Ｎｏｋｉａ（登録商標））７７０インターネットタブレット（Ｉｎｔｅｒｎｅｔ  Ｔａｂｌｅｔ（登録商標）））などを含む）をはじめとする、さまざまな異なるユーザ装置１０８、１１０、１１２を介して、保管サービス１０４に直接アクセスしてもよく、または、保管サービス１０４から伝送されたものを直接受信してもよい。いくつかの実施形態では、保管サービス１０４は、ウェブページ（例えば、ＨＴＭＬまたはＸＭＬベースのワールドワイドウェブ（ＷＷＷ）ページ）として実施されたインタフェース１２６（例えば、ユーザおよび／またはオペレータインタフェース）を含んでもよく、一方、他の実施形態では、ユーザ装置１０８、１１０、１１２は、それぞれ、インタフェース１１８、１２０、１２２を含んでもよい。
【００２４】
保管サービス１０４は、追跡情報とファイル検証機能とを提供する、監査機能を含んでもよい。例えば、保管サービス１０４は、任意の所与の瞬間において、保管サービス１０４のドメイン内のすべてのファイルが、「合法の」、非海賊版の、著作権に準拠した、ファイルのコピーとして検証されることが可能なように、ファイルのコピーの各インスタンスを（例えば、シリアル／識別番号を割り当てるか、または関連付けることによって、および／または、ファイルの内容に組み込まれた電子「透かし」を使用することによって）一意に識別するための手段を含んでもよい。さらに、保管サービス１０４は、保管の連鎖（ｃｈａｉｎ  ｏｆ  ｃｕｓｔｏｄｙ）が明らかにされてもよいように、ファイルの特定のインスタンスがどこから来たか、および／または、どこに行ったかに関する、履歴情報を記憶してもよい。保管サービス１０４は、マーケティングまたは在庫管理情報を明らかにするために、保管の連鎖情報を、例えば、エンティティによって保持された時間、または保管サービスのリポジトリ１２４内に記憶されている特定のファイルのコピーの数などの、その他の転送情報とともに集計および／または集約するための、プログラムを含んでもよい。いくつかの実施形態では、保管サービス１０４は、そのような情報を、例えば交換サービス１０２に提供してもよい。
【００２５】
動作時、保管サービス１０４は、ファイルを含む媒体を維持または保管することをユーザが気にする必要がないことを可能にする、便利な手段として機能してもよい。保管サービス１０４は、デジタルファイルの、セキュリティ保護された、高信頼の、保証された記憶および管理を提供してもよい。そのようなサービス１０４は、大規模なメモリおよびハードディスク容量を有する必要からユーザを解放し、さらに、高価なバックアップ装置、壊れやすいバックアップ媒体、および時間のかかるバックアップ手順を有する必要からユーザを解放する。保管サービス１０４は、普遍的にアクセス可能な、セキュリティ保護された、かつ保証されたリポジトリ１２４内にファイルを記憶してもよい。いくつかの実施形態では、保管サービス１０４は、バックアップサービスおよびファイルフォーマット変換サービスを提供してもよい。いくつかの実施形態では、保管サービス１０４は、例えば、コピーを作成する必要なしにファイルの所有権を移転するために、ユーザが交換サービス１０２の機能にアクセスすることを可能にしてもよい。同様に、保管サービス１０４は、例えば、コピーを作成する必要なしにファイルを再生または使用するために、ユーザがプレイバックサービス１０６の機能にアクセスすることを可能にしてもよい。
【００２６】
いくつかの実施形態では、保管サービス１０４および／またはリポジトリ１２４は、複数の地理的に多様な位置におけるプレイバックを容易にするために、地理的に分散されていてもよい。保管サービス１０４は、プレイバックサービス１０６の機能における遅延の防止に役立つように、地理的に分散化された冗長サーバ間での負荷バランシングを提供してもよい。いくつかの実施形態では、保管サービス１０４は、システムが著作権法を順守していることを証明するための、および著作権所有者に代替の収入モデルとマーケティング機会とを許可するための、およびマーケティング情報を収集するための、監査機能またはサービスを提供してもよい。保管サービス１０４は、ファイルの整合性、真正性、およびオリジナリティの検証を提供してもよい。例えば、保管サービス１０４は、新たに受信した、ファイルのコピーを、既知の真正なコピーに対して比較して、ファイルの整合性を検証してもよい。保管サービス１０４は、在庫およびファイル索引管理を、ユーザ、システム構成要素を含むシステム１００、および第三者（例えば、小売業者、販売業者、広告主、著作権所有者など）に提供してもよい。
【００２７】
いくつかの実施形態では、保管サービス１０４は、さまざまなメンバーシップまたは使用モデルをサポートしてもよい。例えば、ユーザは、ある料金で加入契約を購入するように、または、サービスにファイルを寄贈するように要求されてもよい（例えば、ユーザがＸ個のファイルを寄贈した場合、ユーザはＹ  Ｇｂのファイルを記憶してもよい）。いくつかの実施形態では、サービス１０４の使用は、サービス１０４内でユーザがエクイティ所有権シェア（ｅｑｕｉｔｙ  ｏｗｎｅｒｓｈｉｐ  ｓｈａｒｅ）を取得または購入することを条件としてもよい。サービス１０４の使用は、使用ごとの支払いに基づいてもよい。例えば、ユーザ当たりの価格は、ユーザのデータのうちのどれだけの量が、または、ユーザのファイルのうちのいくつが、サービスのリポジトリ１２４内に記憶されているかに基づいて決定されてもよい。いくつかの実施形態では、サービス１０４の使用は、他のサービスの使用を条件としてもよい。例えば、ユーザが交換サービス１０２を介してＺ個のファイルを移転した場合、または、プレイバックサービス１０６を介してＸ個のファイルをプレイバックした場合、ユーザはＹ  Ｇｂのファイルを記憶してもよい。
【００２８】
いくつかの実施形態では、保管サービス１０４は、（例えば、ユーザ装置１０８内の）ユーザのハードドライブを、ローカル記憶のために利用するように構成されてもよい。例えば、保管サービス１０４は、ユーザのハードドライブの部分を、保管サービス１０４またはプレイバックサービス１０６のみが直接アクセスできる、暗号化されたファイルを記憶するための、分散ネットワークの部分にしてもよい。いくつかの実施形態では、保管サービス１０４は、使用情報を収集、ログ記録、集約、および計算するように構成されてもよい。例えば、保管サービス１０４は、保管サービス１０４のドメイン内、またはその他のサービスのドメイン内のファイルについての、プレイバック、移転、および記憶の統計情報を収集してもよい。例えば、保管サービス１０４は、それがログ記録した、どのファイルが、いつ、どこで、誰によってアクセスされたかを示す情報を有してもよい。このデータは有益な場合があり、したがって、集約されて販売されてもよい。いくつかの実施形態では、このデータは、ビルボード（Ｂｉｌｌｂｏａｒｄ（登録商標））マガジンの上位１０曲（Ｍａｇａｚｉｎｅ’ｓ  Ｔｏｐ  Ｔｅｎ  Ｓｏｎｇｓ）に類似した形式で集約されてもよい。しかし、音楽トラックの人気は、１週間の間にラジオ放送局によって再生された回数に基づくよりも、１週間の間に発生するユーザプレイバックの回数に基づいて、はるかにより正確に判定される可能性がある。いくつかの実施形態では、（例えば、特定のアーティストの曲が、今年、何回再生されたかのチャートにおけるように）ファイルのアクセスが単に追跡されてもよい。
【００２９】
いくつかの実施形態では、保管サービス１０４は、ユーザの代理として、小売業者および／または販売業者から直接、ファイルを購入または取得するように構成されてもよい。例えば、保管サービス１０４は、保管サービス１０４へのユーザ要求に応えて、ユーザのためにアイチューンズ（ｉＴｕｎｅｓ）から直接、トラックをダウンロードしてもよい。別の例では、ユーザがアイチューンズ（ｉＴｕｎｅｓ）からの購入を開始してもよく、そして、保管サービス１０４が取引を完了して、保管サービスのリポジトリ１２４にトラックをダウンロードし、トラックの所有権を、購入しているユーザの所有権として記録してもよい。さらに別の例では、ユーザがアイチューンズ（ｉＴｕｎｅｓ）に、購入したトラックを保管サービス１０４に送信することを許可してもよい。
【００３０】
上記に示したように、保管サービス１０４（または交換サービス１０２）は、マーケットプレーヤーまたはマーケットメーカーとして働いてもよい。いくつかの実施形態では、保管サービス１０２（または交換サービス１０４）は、割引価格でメンバーから購入したファイルの在庫を保持してもよい。保管サービス１０４（または交換サービス１０２）は、ファイルの市場価格に影響を及ぼすか、またはさらには、ファイルの市場価格を設定してもよい。上述の、収集されたプレイバック、移転、および記憶の統計情報を使用して、保管サービス１０４（または交換サービス１０２）は、需要を評価し、ファイルの価格を予測してもよい。市場の知識を使用して、保管サービス１０４（または交換サービス１０２）は、他のユーザが、将来、より高い価格で購入するであろうファイルを取得するように、ユーザに奨励（例えば、動機を提供）してもよい。いくつかの実施形態では、これらの機能は、保管サービス１０４が、ほとんど無料で（例えば、取引コストのみで）、トラック（またはその他のファイル）をユーザに提供することを可能にしてもよい。
【００３１】
本発明によるプレイバック（またはアクセス）サービス１０６または機能は、同様に、１つ以上のソフトウェアアプリケーションおよび／またはオペレーティングシステムを実行している、コンピュータサーバまたはホストとして実施されてもよい。いくつかの実施形態では、オペレータがサーバの動作の側面を制御してもよく、他の実施形態では、サーバは完全に自動化されていてもよい。プレイバックサービス１０６は、例えば、セキュリティ保護されたネットワークを介して、直接的に、あるいは、例えば、中間のサーバまたはインターネット１１４を介して、間接的に、その他の装置、サーバ、またはサービス（例えば、交換サービス１０２、保管サービス１０４、ユーザ装置１０８、１１０、１１２、ファイル配布サーバなど）に結合されて、それらと通信してもよい。プレイバックサービス１０６は、ファイルのバイトが装置上で再生され、そして削除または上書きされる前に、例えば数バイトよりも多く、ユーザ装置１０８、１１０、１１２がバッファリングする必要がないような速度での、ユーザ装置１０８、１１０、１１２へのファイルの配送を可能にする、伝送プロトコルを使用してもよい。ユーザ装置１０８、１１０、１１２は、受信ファイル、またはそのいかなる部分も、任意の大幅な、またはかなりの時間にわたって、ユーザが記憶するのを防いでもよい（例えば、１秒未満、またはファイルの受信した部分を装置上で再生するために必要とされる時間未満）。
【００３２】
ユーザは、例えば、セルラー電話機、ネットワークコンピュータ、無線携帯情報端末（ＰＤＡ）、ハンドヘルド装置、衛星ラジオ受信機、ネットワークにアクセスするように修正されていてもよいメディアプレーヤー（例えば、アップル（Ａｐｐｌｅ（登録商標）社）のアイポッド（ｉＰｏｄ（登録商標））、サンディスク（ＳａｎＤｉｓｋ（登録商標））のサンサ（Ｓａｎｓａ（登録商標））、東芝（Ｔｏｓｈｉｂａ（登録商標））のギガビート（Ｇｉｇａｂｅａｔ（登録商標））など）、ワイファイ（ＷｉＦｉ）装置（例えば、ラップトップコンピュータ、ノキア（Ｎｏｋｉａ（登録商標））７７０インターネットタブレット（Ｉｎｔｅｒｎｅｔ  Ｔａｂｌｅｔ（登録商標）））などを含む）をはじめとする、さまざまな異なるユーザ装置１０８、１１０、１１２を介して、プレイバックサービス１０６にアクセスしてもよく、または、プレイバックサービス１０６から伝送されたものを受信してもよい。いくつかの実施形態では、プレイバックサービス１０６は、ウェブページ（例えば、ＨＴＭＬまたはＸＭＬベースのワールドワイドウェブ（ＷＷＷ）ページ）として実施されたインタフェース１２８（例えば、ユーザおよび／またはオペレータインタフェース）を含んでもよく、一方、他の実施形態では、ユーザ装置１０８、１１０、１１２は、インタフェース１１８、１２０、１２２を含んでもよい。
【００３３】
プレイバックサービス１０６は、オンデマンドでの媒体なしのプレイバックを、著作権を侵害することなく可能にする。ユーザ装置１０８、１１０、１１２の必要メモリは、最小であり、ユーザのファイルのライブラリが増加するにつれて変化することはない。プレイバックサービス１０６は、さらに、プレイバック順序をソートすること、取得する新しいファイルを選択すること、古いファイルの再販売を提案すること、ファイルおよび／またはコレクションの市場価値情報を示すことなどの、プレイリストまたはファイルインデックス管理機能を提供してもよい。これらの機能または特徴は、サービス１０６によって（例えば、プレイバックサービスインタフェース１２８を介して）直接提供されてもよく、および／または、以下でより詳しく説明するように、ユーザ装置１０８、１１０、１１２によって提供またはサポートされてもよい。プレイバックサービス１０６は、ファイルがユーザ装置１０８、１１０、１１２に配送され、ただちに装置１０８、１１０、１１２上で再生されて、装置１０８、１１０、１１２から削除される際の、コピーを作成することなく、かつ、ファイルの最小のバッファリングを伴う、プレイバックを提供する。プレイバックサービス１０６は、受信したいかなるファイルも装置によって記憶されないことを検証することが可能な、特定のユーザ装置１０８、１１０、１１２のみに、ファイルを「ストリーミング」するように構成されてもよい。例えば、装置１０８、１１０、１１２は、以前に再生されたファイルが記憶されなかったことを検証するために、装置を検索してファイルのシグネチャまたは識別情報を探す、プログラムを実行するように要求されてもよい。本明細書で使用する場合、そして、特に指示しない限り、ストリーミング（ｓｔｒｅａｍｉｎｇ）という用語は、受信装置がプレイバックサービスに対して、受信データは装置上でデータを再生するために必要とされるよりも長く記憶されない（または記憶されることができない）ということ、および、送信されるデータは、プレイバック速度よりもわずかに高い（例えば、＋１％〜＋５％）速度で送信されるということを確証する、転送プロトコルを意味してもよい。いくつかの実施形態では、ストリーミングは、さまざまなボイスオーバーインターネットプロトコル（ＶＯＩＰ）を使用して実装されてもよい。いくつかの実施形態では、パーソナル暗号化キャスティング（ｐｅｒｓｏｎａｌ  ｅｎｃｒｙｐｔｅｄ  ｃａｓｔｉｎｇ）（例えば、ベライゾン（Ｖｅｒｉｚｏｎ（登録商標））によって提供されているブイキャスト（Ｖ−Ｃａｓｔ（登録商標）））が使用されてもよい。
【００３４】
いくつかの実施形態では、プレイバックサービス１０６は、プレイバックを、プレイバックサービス１０６に登録された、および／または、プレイバックサービス１０６の制御下にある、ユーザ装置１０８、１１０、１１２に限定してもよい。例えば、プレイバックサービス１０６は、例えば、プレイバックされたファイルを記憶していないなどの、特定のユーザ義務に従っていることを検証するために、ユーザ装置１０８、１１０、１１２にアクセスすることが可能であってもよい。いくつかの実施形態では、エージェント（例えば、自律ソフトウェアモジュール（ａｕｔｏｎｏｍｏｕｓ  ｓｏｆｔｗａｒｅ  ｍｏｄｕｌｅ））が、ユーザ順守とユーザ装置１０８、１１０、１１２の動作とを監視するために、ユーザ装置１０８、１１０、１１２上で実行されることが要求されてもよい。監視エージェントは、定期的に、ランダムに、および／または、各ファイルプレイバックの前または後に、例えば暗号化メッセージを使用して、プレイバックサービス１０６に報告を返してもよい。プレイバックは、特定の時間の長さによって、および／または、特定の数のファイルアクセス／「プレイバック」に、制限されてもよい。
【００３５】
いくつかの実施形態では、プレイバックサービス１０６は、さまざまなユーザが、それらのそれぞれのプレイリスト（ｐｌａｙ  ｌｉｓｔ）に関する情報をお互いに共有することを可能にする設備を提供してもよい。例えば、第１のユーザは、プレイバックサービス１０６を使用して、そのユーザの好みの音楽トラックの、リストおよび説明（例えば、そのユーザのコメントの音声記録）を公表してもよい。その他のユーザは、次に、プレイバックサービス１０６を使用して、第１のユーザのリストを見つけて、アクセスしてもよい。プレイバックサービス１０６は、さらに、取引を開始するための関連情報を自動的に交換サービス１０２に渡すことによって、ユーザが、第１のユーザの音楽トラックのうちの１つ以上を、交換サービス１０２を介して取得するのを容易にしてもよい。
【００３６】
他のサービス１０２、１０４と同様に、プレイバックサービス１０６は、価格を設定するため、ファイルの価値を決定するため、マーケティングまたは広告の目的のため、在庫管理の目的のため、（例えば、関連する製品またはサービスの追加提供などの）アップセル（ｕｐｓｅｌｌ）の機会を作るため、または提供するため、メンバーシップのレベル／状態／資格を判定するため、および監査を行うために、使用統計情報をログ記録、集約、および計算してもよい。この情報は、さらに、プレイバックサービス１０６が、または交換サービス１０２および／または保管サービス１０４などの統合サービスが、ユーザへの販売のためにファイルを購入／取得することを可能にするために使用されてもよい。情報は、特定のファイルに対する需要を判定するために、および／または、ファイルを、例えば再販売用に取得するために、交換サービス１０２が支払うべき適切な価格を判定するために、使用されてもよい。いくつかの実施形態では、ファイルの将来の需要を予測するために、および、買い戻しの保証または規定をファイルの購入者に提供するために、集約された情報が使用されてもよい。
【００３７】
いくつかの実施形態では、プレイバックサービス１０６は、ファイルがアクセスされることができないように、ファイルのインスタンスをロックすることによって、システム１００が、著作権法および／またはファイルライセンス規定を順守し続けていることを確実にしてもよい。例えば、システム１００（またはそのユーザ）が、特定の音楽トラックをプレイバックするためのＸ個のライセンスを所有している場合、プレイバックサービス１０６は、並行プレイバックを、任意の所与の時間におけるＸ以下のインスタンスのプレイバックに制限してもよい。そのような制限は、仮に、例えば、１つ以上のユーザが、他の場合には所与の音楽トラックを並行してプレイバックすることが許可されるであろう、複数のユーザ装置１０８、１１０、１１２を有しているとしても、プレイバックサービス１０６によって強制されてもよい。
【００３８】
いくつかの実施形態では、システム１００が、著作権法および／またはファイルライセンス規定を順守し続けていることを確実にするために、プレイバックサービス１０６は、タイムスライシングを使用してもよい。ファイルのタイムスライシングは、ファイルへの並行アクセスを、ただし、そのファイルの異なる部分のみへの並行アクセスを、可能にする。例えば、いくつかの実施形態では、仮に、ファイルの１つのライセンスのみがシステム１００によって所有されている場合でも、ファイルのコピーを作成することなしに、かつ、著作権法および／またはファイルライセンス規定を侵害することなしに、２つ以上の異なるユーザが、ファイルの異なる部分への並行アクセス、またはファイルの異なる部分の並行プレイバックを行ってもよい。プレイバックサービス１０６は、任意の所与の時間においてファイルのいかなる部分のインスタンスも決して２つ以上存在しないように、２つ以上のユーザが、任意の所与の時間において、ファイルの異なる部分のプレイバックまたはアクセスを行っていることを確実にしてもよい。本明細書で使用する場合、並行（ｃｏｎｃｕｒｒｅｎｔ）という用語は、ファイルの２つ以上のコピーが同時に、しかし必ずしも同期化されずに再生される（例えば、１つのプレイバックが別のプレイバックよりも後で開始される）ということを意味してもよく、そして、「同じ部分が同時に再生される（ｓａｍｅ  ｐｏｒｔｉｏｎｓ  ｂｅｉｎｇ  ｐｌａｙｅｄ  ｓｉｍｕｌｔａｎｅｏｕｓｌｙ）」という用語は、プレイバックが同期化される（例えば、両方のプレイバックが同時に開始される）ということを意味してもよいということに留意されたい。これらの用語を使用すると、プレイバックサービス１０６は、ファイルの同じ部分が同時に再生されることなく、ファイルの並行プレイバックを可能にしてもよい。より一般的には、本発明は、ファイルの同じ部分が同時にアクセスされることなく、ファイルへの並行アクセスを可能にしてもよい。
【００３９】
本発明は、インターネットポータルとして実施されてもよく、そのインターネットポータルの中では、例えば、交換サービス１０２、保管サービス１０４、およびプレイバックサービス１０６の統合された実施形態が、多数の小売業者、販売業者、著作権所有者、および第三者の関連する製品およびサービスとともにアクセス可能であってもよい。統合は、異なるサービス１０２、１０４、１０６の別個の動作をユーザが認識しないようなものであってもよい。いくつかの実施形態では、サービス１０２、１０４、１０６は、実際に、上述の３つの特定のサービスの代わりに、すべてが１つのサービスとして、２つのサービスとして、または４つ以上のサービスとして実装されてもよい。
【００４０】
いくつかの実施形態では、本発明は、オンラインライブラリとして実装されてもよい。ファイルのコピーを作成することなしにユーザにファイルを貸し出す、（上述のような）インターネットポータルに、ユーザはアクセスしてもよい。オンラインライブラリは、メンバーシップ料金を課金してもよく、および／または、ライブラリのファイルのコレクションへの寄贈を要求してもよい。いくつかの実施形態では、オンラインライブラリは、上述の商用インターネットポータル上の、単なる代替のインタフェースまたはオーバレイとして実装されてもよい。いくつかの実施形態では、ユーザは、ある期間にわたって（または、ある数のプレイバックにわたって）ファイルを「借り出し」てもよく、その間、ユーザは、そのファイルを排他的に使用できてもよい。
【００４１】
いくつかの実施形態では、本発明は、企業または共同事業などのエンティティによって所有される、ファイルのコレクションとして実装されてもよい。エンティティのメンバーまたは所有者は、エンティティのファイルへのアクセスを許可されるためには、エンティティのエクイティステーク（ｅｑｕｉｔｙ  ｓｔａｋｅ）を所有していることを要求されてもよい。いくつかの実施形態では、ファイルおよび／または資本の貢献は、個人に、エクイティホルダー（ｅｑｕｉｔｙ  ｈｏｌｄｅｒ）になる資格を与えてもよい。エンティティによって所有されるファイルは、エクイティホルダーの共同資産として保持されてもよく、エクイティホルダーは、オンラインライブラリに関して上述したのと同じ方法で、（やはり上述した）インターネットポータルを介して、ファイルにアクセスすることを許可されてもよい。エンティティのエクイティは、例えば新規公募（ｉｎｉｔｉａｌ  ｐｕｂｌｉｃ  ｏｆｆｅｒｉｎｇ）（ＩＰＯ）によって、公開販売されてもよい。ＩＰＯは、エンティティのためのファイルを取得するための、または、エクイティホルダーのエンティティへの貢献に対して埋め合わせするための、資金を調達するために使用されてもよい。いくつかの実施形態では、エンティティは、ファイルの著作権を取得してもよい。いくつかの実施形態では、著作権所有者は、エンティティのエクイティと交換に、エンティティに著作権を寄贈してもよい。
【００４２】
ユーザ装置１０８、１１０、１１２は、新しいタイプの装置と、本発明の実装を特に可能にするための特徴を含むように修正された、市販の装置の変形とを含んでもよい。例えば、アップル（Ａｐｐｌｅ（登録商標）社）のアイポッド（ｉＰｏｄ（登録商標））は、無線通信機能を有するように、そして、ファイル記憶のための制限されたメモリを有するように（またはメモリを有さないように）、作成されてもよい。そのような装置は、ファイルを受信するように、そして、それらのファイルを記憶することなしにプレイバックするように、構成されてもよい。装置上に記憶されているファイルを示す代わりに、アイポッド（ｉＰｏｄ）のファイル管理インタフェースは、保管サービス１０４内の、ユーザに関連付けられたファイルをリモートで操作するように、およびそれらのファイルにアクセスするように、構成されてもよく、または、プレイバックサービス１０６を介したアクセスのために利用可能であってもよく、または、交換サービス１０２を介した購入のために利用可能であってもよい。いくつかの実施形態では、ユーザ装置１０８、１１０、１１２は、本発明のその他の態様を容易にする、追加のハードウェア特徴を含んでもよい。例えば、装置１０８は、購入／売却ボタンを含んでもよく、このボタンは、装置インタフェース１１８上でハイライトされたファイルを、ユーザがファイルを所有している場合は売却することを、または、ユーザがファイルを所有していない場合は購入することを、ユーザが交換サービス１０２に示すことを可能にする。装置１０８は、プレビューボタンを含んでもよく、このボタンは、ファイルの限られた部分に、プレビューとして、ユーザがアクセスすることを可能にする。いくつかの実施形態では、例えば、装置１０８は、取引の迅速化に役立つ取引ボタン、プレイバック、検索、および／または選択をより容易にする「ＶＣＲ」制御ボタン、ダイヤル、スライド、シャトル、スティック、および／またはトラックパッド、ならびに／あるいは、サービス１０２、１０４、１０６、および／またはファイルとの相互作用を容易にするゲームコントロールを含んでもよい。ディスプレー画面および振動／可聴警報などの、その他のハードウェア特徴も含まれてもよい。
【００４３】
いくつかの実施形態では、装置１０８は、限定された受信範囲を有してもよい。例えば、装置は、インターネット１１４への８０２．１１ｇ  ＬＡＮ接続性、ワイファイ（ＷｉＦｉ）のインターネット１１４アクセス、および／または、インターネット１１４にアクセスするためのＲＦベースの通信プロトコルを提供してもよい。受信は、伝送時間、および／または、インターネットアクセスポイントまたはホスト（例えば、ユーザのデスクトップＰＣ）への距離に基づいて、限定されてもよい。いくつかの実施形態では、ホストは、サービス１０２、１０４、１０６に接続するための、制御されたリンクとして働いている、ネットワーク上にあってもよい。いくつかの実施形態では、ホストの部分（例えば、ユーザのハードドライブの部分）は、例えば保管サービス１０４の排他的制御の下で、ファイルのためのローカルな（分散された）記憶として使用されてもよい。いくつかの実施形態では、システム１００は、ユーザのパーソナルコンピュータ上に記憶されていてもよい暗号化されたファイルを使用して動作してもよく、そして、プレイバックは、システム１００に関連付けられた、またはシステム１００に登録されたユーザ装置を介してのみ有効にされてもよい。例えば、上述の無線／メモリレスに修正されたアイポッド（ｉＰｏｄ）などの無線装置、ＦＭ受信機、携帯電話機、またはその他の装置が、特定のパーソナルコンピュータから受信した信号のみをプレイバックするように構成されてもよい。同様に、パーソナルコンピュータは、特定のユーザ装置のみに送信するように構成されてもよい。いくつかの実施形態では、上述の無線／メモリレスに修正されたアイポッド（ｉＰｏｄ）は、ＶＯＩＰ機能を有する電話機として実施されてもよい。さらに、そのような電話機は、ＶＯＩＰ信号を、例えばワイファイ（ＷｉＦｉ）プロトコルなどの、無線プロトコルを介して受信してもよい。
【００４４】
いくつかの実施形態では、ユーザ装置１０８は、例えば、（ＷＡＮ／衛星信号受信機として実施された）車両内に取り付けられてもよい。そのような装置は、車両が、ユーザＰＣの伝送範囲（例えば、無線ＬＡＮ、８０２プロトコル、ワイファイ（ＷｉＦｉ）、ブルートゥース（Ｂｌｕｅｔｏｏｔｈ（登録商標））などの伝送範囲）内にある場合、あるいは、ユーザＰＣから、例えば、携帯電話機、ＲＦ信号、および／または無線電話機などを介した伝送範囲内にある場合に、（例えば、上述のように、コピーすることなしに、または、例えば制限されたプレイバック回数などの、プレイバック制限付きで）ファイルを受信またはダウンロードしてもよい。装置は、車両内に永久的に取り付けられてもよく、または、その他のプレイバック機器またはＰＣに接続されてもよい、取り外し可能なヘッドユニットを含んでもよい。
【００４５】
いくつかの実施形態では、ユーザ装置１０８は、呼を受信するように構成され、その呼の中でファイルがユーザにプレイバックされる、従来の携帯電話機または無線ＰＤＡとして実装されてもよい。音質を向上させるため、および、ファイルがコピーされないことを確実にするために、ＶＯＩＰなどのデジタルプロトコルが使用されてもよい。いくつかの実施形態では、マルチチャネル（例えば、ステレオ）情報がデジタル信号内に符号化されてもよく、そして電話機は、その信号の受信時に、マルチチャネル情報を復号して、例えばステレオ音響を作成するように、構成されてもよい。電話機は、さらに、例えば、接続されたステレオヘッドフォン、またはマルチチャネル増幅器とスピーカーシステムとを使用することにより、マルチチャネル音響をプレイバックするように構成されてもよい。デスクトップの、または自動車に搭載された、クレードルが、ステレオヘッドフォンへの、またはマルチチャネル増幅器とスピーカーシステムとへの、電話機またはＰＤＡの接続を容易にするために使用されてもよい。
【００４６】
いくつかの実施形態では、サービス１０２、１０４、１０６およびユーザ装置１０８、１１０、１１２は、それぞれ、インタフェース１１６、１２６、１２８、１１８、１２０、１２２を含んでもよい。上述のように、ユーザ装置インタフェース１１８、１２０、１２２は、装置１０８、１１０、１１２の動作、および装置１０８、１１０、１１２との相互作用を容易にするための、任意の数のハードウェアインタフェース特徴を含んでもよい。同様に、サービスのインタフェース１１６、１２６、１２８は、サービス１０２、１０４、１０６の動作、およびサービス１０２、１０４、１０６との相互作用を容易にするための、任意の数のハードウェアインタフェース特徴を含んでもよい。さらに、サービスのインタフェース１１６、１２６、１２８とユーザ装置インタフェース１１８、１２０、１２２との両方は、サービス１０２、１０４、１０６とユーザ装置１０８、１１０、１１２の動作、およびサービス１０２、１０４、１０６とユーザ装置１０８、１１０、１１２との相互作用を容易にするための、ソフトウェアベースのインタフェース特徴を含んでもよい。例えば、ユーザのプレイリストは、（例えば、購入の提案、マーケティングオファーを行うため、および／または、ユーザのファイルのそれぞれの現在の価値を示すために）交換サービス１０２と統合またはリンクされていてもよい。交換サービス１０２内の、販売のためのファイルのリストは、各ファイルについて利用可能な、取引または移転のタイプを示してもよい。
【００４７】
インタフェース１１６、１２６、１２８、１１８、１２０、１２２は、推薦システムへのアクセスを提供するソフトウェアインタフェース特徴を含んでもよく、その中では、ファイルに関する情報、および／または、実際のファイルのサンプルが、他のユーザと、または「友達」リストのユーザと共有されてもよい。装置は、すべてのファイルタイプ（例えば、ビデオ、音楽、アプリケーション、ゲーム、ＡＳＰ、データベースなど）のプレイバック、およびそれらのファイルタイプへのアクセスをサポートする、グラフィカルユーザインタフェースを含んでもよい。ソフトウェアインタフェースは、ログインプロトコルなどのセキュリティ特徴、および自動ログインまたは「ノークリック」ファイル購入方法などの自動化特徴をサポートしてもよい。例えば、上述の例示的な無線アイポッド（ｉＰｏｄ）（または任意のその他のメディアプレーヤーハードウェア／ソフトウェア装置）は、保管サービス１０４に自動的にログインし、必要な認証情報（例えば、ユーザ名およびパスワード）を提供し、そして、ユーザの音楽トラックのリストを取得するように構成されてもよい。いくつかの実施形態では、要求されるログインの一部は、例示的な無線アイポッド（ｉＰｏｄ）および／またはその構成要素のいくつかの、媒体アクセス制御（ＭＡＣ）識別子のような、機械入力される情報であってもよい。言い換えると、一部の情報は、ユーザによって入力される必要はなく、しかし装置は、ログイン／セキュリティ／認証の目的のために情報が使用されてもよいように、情報をやはり送信するように構成されてもよい。いくつかの実施形態では、ソフトウェアインタフェースは、デフォルトのログイン情報が変更されることを可能にするように、および、ユーザが、例えば自動ログイン特徴を、活動化または非活動化することを可能にするように、構成可能であってもよい。
【００４８】
インタフェース１１６、１２６、１２８、１１８、１２０、１２２は、さらに、以前に所有していたファイルの買い戻しをサポートする、ソフトウェアインタフェース特徴を含んでもよい。例えば、ユーザの「プレイリスト」またはファイルのリストは、以前に所有していたが、その後販売されたファイルの指示を含んでもよい（例えば、曲名はプレイリスト上で可視であるが、グレー表示されているか、さもなければ、異なる外観を有している）。そのファイルまたは同等物（すなわち、同じ音楽トラックであるが、異なるユーザの、そのコピー）が現在販売中である場合、そのような情報が示されてもよい（例えば、リストの横の星印、「今すぐ購入（ｂｕｙ−ｎｏｗ）」アイコン）。インタフェース１１６、１２６、１２８、１１８、１２０、１２２は、さらに、音楽の購入に役立つソフトウェアインタフェース特徴を含んでもよい。いくつかの実施形態では、交換サービスインタフェース１１６は、ファイル選択コントロール、支払いコントロール、条件選択コントロール（ｔｅｒｍｓ  ｓｅｌｅｃｔｉｏｎ  ｃｏｎｔｒｏｌｓ）などの取引特徴を含んでもよい。交換サービスインタフェース１１６は、さらに、ユーザが保管サービス１０４に、ユーザあるいはその他のメンバーまたは顧客の代理としてファイルを購入するように指示することを可能にするように構成された、グラフィカルユーザインタフェース（ＧＵＩ）コントロールを含んでもよい。
【００４９】
いくつかの実施形態では、交換サービス１０２は、ユーザから金融商品を購入してもよく、および／または、ユーザに金融商品を売却してもよい。例えば、交換サービス１０２は、ファイルの買い戻し約定、および／または、ファイル先物契約を、売却してもよい。ファイルの所有者からの、ファイルの買い戻し約定は、ファイルと交換に資金を提供するための、第１の約定と、ファイルを買い戻すための、第２の約定との両方を含む。ファイル先物契約は、将来の特定の日に、あらかじめ設定された価格でファイルを購入または売却するための、交換サービス１０２を介して取引されてもよい契約である。例えば、交換サービス１０２は、交換サービス１０２が特定の音楽トラックを１年後に１ドルでユーザに売却することを指定する契約を、ユーザが購入することを可能にしてもよい。その音楽ファイルの価値が、１ドルに契約の価格を加えたよりも大きい場合、ユーザは利益を得る。
【００５０】
いくつかの実施形態では、交換サービス１０２は、市場データフィードを生成してもよい。ロイター（Ｒｅｕｔｅｒｓ（登録商標））またはブルームバーグ（Ｂｌｏｏｍｂｅｒｇ（登録商標））のデータフィードと同様に、さまざまなファイルの価格が、データフィードフォーマットで継続的に報告されてもよい。インタフェース１１６、１２６、１２８、１１８、１２０、１２２は、フィード、またはフィードに含まれる情報を、システム１００のユーザおよび／またはオペレータに表示してもよい。いくつかの実施形態では、交換サービス１０２からの情報（例えば、市場データフィード）は、ファイルコレクションの価格設定または価値情報をユーザに提供するために使用されてもよい。例えば、ユーザの音楽の全コレクションが、例えば、ユーザが所有している各音楽トラックの現在の市場価値の合計に基づいて、価格設定または評価されてもよい。
【００５１】
いくつかの実施形態では、システム１００が使用するファイル転送または通信プロトコルは、そのプロトコルを使用して伝送されるファイルが記憶またはコピーされないことを確実にするように、特に構成されたものであってもよい。より具体的には、本発明のシステム１００は、あらかじめ設定された最大数のバイト、またはファイルの部分のみが、受信され、処理され、削除され（または上書きされ）てから、ファイルの後続のバイトが送信および／または受信されることを許可される、ということを確実にする、（例えば、システムのさまざまな構成要素の、ネットワークアダプタおよび／またはオペレーティングシステム内に実装された）プロトコルを使用してもよい。例えば、プロトコルは、ユーザ装置に送信される音楽ファイルが、装置によってそのファイルが受信されるにつれて、処理され（例えば、装置上で再生され）、そして削除されるということを確実にしてもよい。そのようなプロトコルは、ファイルの制限された部分のみが、ファイルを処理するために必要とされる間だけ、一時的にバッファリングされることを保証する。プロトコルは、さらに、ファイルの処理は、メモリ、記憶装置、またはファイルを収集する可能性があるその他の装置に、ファイルを転送することを含まないということを、確実にしてもよい。例えば、プロトコルは、ファイルを記憶する能力がない、ユーザ装置１０８、１１０、１１２内の、既知の／登録された出力装置（例えば、特定のデジタル−アナログ変換器／増幅器の組み合わせ）のみに、ファイルは転送されてもよいということを要求してもよい。プロトコルは、（例えば、転送されるファイル内に含まれる）インジケータビット、タグ、トークン、またはコードワードが、ファイルは著作権保護されているということ、および、最小のバッファリングで、かつ、転送中に、または宛先において、記憶またはコピーされることなしにのみ、転送されるべきであるということを、プロトコル準拠ハードウェアおよびソフトウェアに伝達するように実装されてもよい。いくつかの実施形態では、プロトコル準拠ハードウェアおよびソフトウェアは、著作権保護されたファイルを、例えば、ファイル「シグネチャ（ｓｉｇｎａｔｕｒｅｓ）」のデータベースを介して、それら自体で認識するように構成されてもよい。
【００５２】
本発明は、本発明の装置の説明において上記に示したような、多くの異なる方法を含む。しかし、本発明の態様をさらに説明するために、２つの例示的方法が、図２および図３のフローチャートに示されている。特定の数のステップの、特定の順序が識別されているが、本発明は、任意の実施可能な順序で実行される、より少ない数のステップ、または任意の数の追加のステップまたはサブステップを使用して実施されてもよいということが理解されるであろう。
【００５３】
図２を参照すると、第１の例示的方法２００は、オーディオファイルのコピーが保管サービス１０４によって記憶される、ステップＳ１から開始される。オーディオファイルのコピーは、オーディオファイルを保管しないパーティによって所有されている。ステップＳ２において、オーディオファイルのプレイバックを求める要求が、プレイバックサービス１０６によって受信される。Ｓ３において、プレイバックを求める要求は、ファイルを所有しているパーティからであることが検証される。いくつかの実施形態では、プレイバックサービス１０６は、ユーザ装置１０８によって自動的にプレイバックサービス１０６に提供された、識別パスワードを、保管サービス１０４に提供してもよい。保管サービス１０４は、パスワードを使用して、記憶されているオーディオファイルが、装置１０８またはユーザと関連付けられていることを検証してもよい。例えば、記憶されているオーディオファイルは、パスワードのコピーを含んでもよく、そして、提供されたパスワードと記憶されているパスワードとの間の一致が、装置１０８のユーザは、実際に、記憶されているオーディオファイルの所有者であるということを、システム１００に示してもよい。ステップＳ４において、オーディオファイルのコピーを表す信号が、オーディオファイルのコピーの所有者に関連付けられたユーザ装置１０８に送信される。ユーザ装置は、信号を受信するように、そして、オーディオファイルの受信した部分を再生するためにユーザ装置が必要とする最小時間よりも長く、オーディオファイルのいかなる部分も記憶することなく、オーディオファイルを再生するように、動作可能である。
【００５４】
図３を参照すると、第２の例示的方法３００は、ファイルの複数のコピーが保管サービス１０４によって記憶される、ステップＳ５から開始される。各コピーは、異なるパーティに関連付けられていてもよい。各パーティは、ファイルの記憶されているコピーのうちの少なくとも１つの所有権を有する。ステップＳ６において、プレイバックサービス１０６は、ファイルのコピーの並行リモートプレイバックを、ファイルの著作権所有者の著作権を侵害することなしに、パーティに提供する。ステップＳ７において、プレイバックサービス１０６は、記憶されているコピーの数に基づいて、並行リモートプレイバック送信の数を制限する。ステップＳ８において、プレイバックを要求しているパーティへのプレイバックは、並行リモートプレイバック送信の数が、記憶されているコピーの数未満になるまで遅延させられる。例えば、リモートプレイバック送信が完了すると、並行リモートプレイバック送信の数は減少し、そして、システム１００は、ファイルの新たなプレイバック送信を要求しているパーティに応えて、新たなプレイバック送信を開始することを許可する。
【００５５】
上述の説明は、本発明の特定の実施形態のみを開示するものであり、本発明の範囲に含まれる、上記で開示された方法および装置の修正は、当業者にとって容易に明らかとなるであろう。したがって、本発明は、その特定の実施形態に関連して開示されたが、その他の実施形態が、添付の特許請求の範囲によって定義される本発明の趣旨および範囲に含まれてもよいということが理解されるべきである。
【符号の説明】
【００５６】
１００        システム
１０２        交換サービス
１０４        保管サービス
１０６        プレイバックサービス
１０８、１１０、１１２        ユーザ装置
１１４        インターネット
１１６、１１８、１２０、１２２、１２６、１２８        インタフェース
１２４        リポジトリ
２００        第１の例示的方法
３００        第２の例示的方法
【図１】
2009537048.tif 000003
【図２】
2009537048.tif 000004
【図３】
2009537048.tif 000005
【国際調査報告】
2009537048.tif 000006